(57)【要約】【課題】  手や指が若干でも不自由な人がお金を支払う時、紙幣を取り出そうとしても現在の財布では収納部を広げて指ではさみ出さなければならず時間がかかり、本人もあせって嫌な思いをしたり、支払いを次にするために待っている人もイライラしてしまうような状況を生み出すことがあり、手や指が若干でも不自由な人が容易に紙幣を取り出せる財布がなかった。【解決手段】  この発明の紙幣収納部前側体の中央近辺上部に大きな切り欠き部を設けた財布形態にすることによって、紙幣が指ではさみ出すことなく、手のひらや、手のひらの小指側側面、指を曲げた時に突出する手の甲の関節部等の紙幣との摩擦力によって紙幣を一枚ずつ取り出せることができるようにした財布を提供する。【選択図】      図２
2005087749.tif 000002
【特許請求の範囲】
【請求項１】
紙幣収納部の前側仕切体の上部中央近辺に滑り押し出し用切欠き部を設けたことを特徴とする財布。
【請求項２】
複数の紙幣収納部を設けたことを特徴とした請求項１に記載の財布。
【請求項３】
紙幣収納位置調整接合部を設けたことを特徴とした請求項１、及び請求項２に記載の財布。
【発明の詳細な説明】
【技術分野】
【０００１】  この発明は財布の中にある紙幣を取り出す際、指ではさんで出すだけでなく、手のあらゆる面で一枚毎に出すことを可能にした財布に関するものである。
【背景技術】
【０００２】  一般的に紙幣を入れる財布には、収納しても紙幣が折れない形態の通称“束入れ”と、収納時に紙幣の長手方向の中央近辺から折りたたむ形態の通称“札入れ”があり、小銭を入れる“ポケット付き”と呼ばれるものがある。【０００３】  買い物や食事等をして支払いをする時、通常は紙幣の入っている箇所を広げて親指と他の指のどれかを入れ一枚ずつ滑らすようにしながら取り出している。また、この時親指が入りやすいように紙幣収納の前側仕切体の上部に指先の大きさ程度の半円的切欠きを設けているものもあるが、指を怪我していて包帯等をしていたり、機能障害で指の動きが十分にできなかったり、指そのものがない人達にとって使いやすい財布はないのが実態である。
【発明の開示】
【発明が解決しようとする課題】
【０００４】  人間の手、指はいろいろなことをする上で一番良く使う部位であり、使うことの頻度が多いということは怪我をする確立も高いものである。包丁を使っていてとか、紙を滑らしてしまってとかで切ってしまうことなど結構多いことであり、包帯やバンドエイドなどで保護している時がある。また、脳梗塞等によって半身が若干不自由で指の使用が思うようにならず、時間をかければという人も多くなってきている。しかし指の使用が若干不自由な人にとっては、財布から紙幣を指ではさんで取り出すという行為は難しく、やたらに時間がかかって支払いの時に店の人や、支払い順にうしろに並んでいる人などイライラして感情を害すようなことがあり、まだ日本ではこれら身体の一部が不自由な人達にゆっくりでもいいから頑張ってというモラルは定着しておらず、その人を見る眼が異なり、さきほどにも記したイライラしてしまうのが実態であり、そういう他人の眼やことばが身体の一部が不自由な人の外出等、公共の場に出ることを阻害している。また、自分の金の入った財布を他人に渡して抜いてもらうようなことは、よほど気心を知っている身内の人でないと嫌がられるものであり、このような手や指が若干不自由な人が容易に紙幣を取り出せる財布がなかった。【０００５】  当発明者は自分自身、手や指は不自由でないが前記したような光景を何度も見ており、また障害者の本音も聞いたことがある中で、買い物や食事は毎日の出来事であり、お金の支払だけでも一般の人と何ら変わりなく、買い物、食事等をして支払いができれば気持ち的にも塞ぐことはなくなるので、まわりの眼も変わってくるはずであり、ぜひとも指が若干不自由でも紙幣を取り出せる財布を考えたものである。従ってこの発明は機能的な問題だけでなくメンタル的な問題の解決を課題とするものである。
【課題を解決するための手段】
【０００６】  上記課題を解決すべくいろいろな財布構造と、取り出し方を研究した。まずは紙幣の１／３程度が収納部から突出している財布を試作し指を使わず手のひらなどで一枚ずつ出るか実験してみたが、紙幣の収納深さが浅く収納部の紙幣保持力が低下するため、一度に複数枚の紙幣が出てきてしまうのと、見た目で何枚位あるか、つまりいくらぐらい持っているかというのが遠目でも見えることにより使用する時、気分的にあまり良い構造ではなかった。【０００７】  次に試作したのが、紙幣収納部の手前側の仕切体の一部を上側から大きく切り取ったもので、手のひらの小指側の側面や、指を握った時に突出する手の甲側の関節部で手との摩擦力で紙幣を動かしたところうまく一枚ずつ押し出すことができた。ただし、本皮革や合成皮革の表面側で紙幣収納部の内面を構成すると、紙幣との摩擦係数が増加する感じで、いろいろな生地を試作した中で化学繊維のポリエステル生地あたりが紙幣との組み合わせで滑りやすく、内面生地と紙幣との摩擦抵抗を低くすることが試作実験的にわかっている。摩擦抵抗と紙幣の最良の組み合わせとしてはもつと適した生地があると思われるが、この摩擦抵抗がかなり影響することは事実である。【０００８】  その後、他の健常者でも使用頻度の高いクレジットカード等のカード収納部を設けることを想定しカード収納部スペースを確保し、上記の大きな切欠き部を横にずらしたところ、紙幣は一枚だけ滑ってくるが、切欠き部をずらした側の紙幣の端部が先に滑ってくるだけで、反対側の収納位置はそのままで滑らず、切欠き部側が少し持ち上がるだけで傾斜した状態になるだけで取り出すことができないことが判明した。【０００９】  結果としてわかったことは、大きな切欠き部は収納した紙幣の中央近辺に設置しないと一枚ずつ平行に滑って出てこないということであり、そのためには紙幣の種類毎の収納部を作成し、切欠き部の位置に合わせ収納横位置を調節するために縫製したり、接着したりして紙幣収納位置調整部を形成すれば良いことがわかり、実際に作成し、自分達健常者が手のひらで押し出すことの確認ばかりでなく、脳梗塞で指の動きがかなり不自由な人にも確認してもらったが、個人個人で滑らす部位が異なるものの障害者個人のやりやすい方法で一枚ずつ押し出すことができ、支払いの時の時間は健常者と変わりのない程度になり、おつりなど収納については時間がかかるが、個別に残っている身体の機能を使って収納することができ、障害を持っている人の顔の明るさが違っており、精神的にも自立して外出、買い物、支払いが可能になる財布が得られた。また小銭は多少動く手側のポケットに入れる人や、専用の小銭入れに入れ、小銭であれば金額的にもわずかなため小銭入れを渡すことで、店の人でも「ここから○○円いただきます。」という形で支払い処理してくれることもわかった。
【発明の効果】
【００１０】  上記構造にすることにより、紙幣の収納横方向の位置をずらし紙幣の中央近辺上部に滑り取り出し切欠き部を設け、さらに切欠き部を少しずらすことによってカード収納部が設置でき、手や指の不自由な人ばかりでなく、一般健常者でも使用でき、かつ健常者が指などを怪我して紙幣を指ではさめない時でも、容易に紙幣を滑らすことにより使用できるユニバーサルデザイン構造の財布とすることができるようになった。
【発明を実施するための最良の形態】
【００１１】  束入れ、札入れを問わず、複数の紙幣収納部を設け、外面は質感、デザイン上で本皮革、合成皮革でもかまわないが、紙幣収納部内面は紙幣との摩擦抵抗が少ない合成繊維生地を使用しており、特に札入れは横長手方向の中央付近から折りたたむため、紙幣収納部が二箇所の場合は同一方向に二重になるため、各々の紙幣収納部がそれぞれ左側、右側になるようにして折りたためるようにすることで、財布を開いた状態で各々の紙幣収納スペースが横にずれ、各々の紙幣収納スペースの中央近辺上部に、それぞれ切欠き部を形成することで最良の形態が得られるものである。
【実施例１】
【００１２】  図１はこの実施形態で通称“束入れ”の財布であり、折り目の両側各内側面に主紙幣収納部１と副紙幣収納部１１を設け、紙幣を収納した際に上部まで完全に入る深さにしてあり、紙幣収納部の前側仕切体２の上部で、ほぼ紙幣収納スペース幅の中央近辺に大きめの滑り押し出し用切欠き部３を形成している。この滑り押し出し用切欠き部３は長円的な穴でもかまわないが試作した時に、滑り押し出す距離が少なく、比較すると切欠き形状にした方が手や指の障害レベルが異なっても対応できることが実験試作品段階でわかっているため切欠き形状としてある。この切欠き寸法は露出する紙幣部が、少なくても幅２ｃｍ、深さ３ｃｍ位は必要であるがこの大きさや形状は制限するものではなく、財布の強度面、デザイン面での切欠き形状にすることも必要である。これにより指先を使わなくても、手のひらの凸部、手のひらの小指側の側面、指を曲げた時にできる甲側関節凸部等で簡単に紙幣を一枚ずつ取り出すことができる。【００１３】  この束入れ財布の主紙幣収納部１には千円紙幣４１、副紙幣収納部１１には五千円紙幣４２及び一万円紙幣４３と種類で分けて入れておくと便利である。身体に機能障害がある人は、副紙幣収納部１１の前側に一万円紙幣４３、奥側に五千円紙幣４２と入れておくと千円紙幣４１で支払いが足らない時、一万円紙幣４３を押し出すことで迅速に支払うことが可能になる。
【実施例２】
【００１４】  図２はこの実施形態で通称“札入れ”の財布であり、複数の紙幣収納部１，１１を設けるため、中側に右端は一体的になっている複数紙幣収納部形成用袋体６を設置し、外側を形成する側の右端に紙幣収納位置調整接合部５を設け、紙幣全体を左寄りに収納し、その紙幣の中央近辺に滑り押し出し用切欠き部３を設けることによって、複数紙幣収納部形成用袋体６を曲げ倒すことで上記滑り押し出し用切欠き部３での紙幣取り出し操作に邪魔することなく副紙幣収納部１１から紙幣を取り出すことが可能となる。【００１５】  この複数紙幣収納部形成用袋体６の左側を接合することで主紙幣収納部１の紙幣収納位置を右方向に調整し、財布の折り目より右側が紙幣収納時の中央近辺になるため滑り押し出し用切欠き部３を容易に設けることができる。【００１６】  図には示していないが、従来から機能としてある、カード収納部や小銭ポケットは、上記の紙幣収納位置調整接合部５を設けることによって滑り押し出し用切欠き部３が左右どちらかに移動し、広いスペース側にカード収納部や小銭ポケットを設けることは自在である。【００１７】  上記の実施形態に限らずこの発明の基本的な考え方さえ合わせておけば、紙幣収納箇所数、カード収納形態、小銭ポケットも自由なデザインができ、デザイン的なバリエーションも含め、身体の障害有無、障害度にあまり関係ないユニバーサル機能を有した財布が得られるものであり、障害者の精神面での開放、健常者のモラルの改善も図れるものである。
【図面の簡単な説明】
【００１８】
【図１】  第１実施形態の束入れタイプ財布の説明図である。
【図２】  第２実施形態の札入れタイプ財布の説明図である。
【符号の説明】
【００１９】  １    主紙幣収納部
１１  副紙幣収納部
２    前側仕切体
３    滑り押し出し用切欠き部
４１  千円紙幣
４２  五千円紙幣
４３  一万円紙幣
５    紙幣収納位置調整接合部
６    複数紙幣収納部形成用袋体
【図１】
2005087749.tif 000003
【図２】
2005087749.tif 000004